(57)【要約】【課題】本考案は、クリアファイル、このクリアファイルのポケットに収納されるインデックスシート、及びこのインデックスシートを複数枚セットにしたインデックスシートセット製品を提供するものであり、使い易くまたデザイン性を考慮したファイル製品を提供することを目的としている。【解決手段】本考案は、クリアファイルの、複数の透明ポケットに入れて使用するインデックスシートであって、透明ポケットに収納される長方形の着色された透明な本体と、前記透明ポケットの上端から露出すると共に、上端が前記クリアファイルの各表紙の上端から出ない突出部とを有するインデックスシートを特徴とするものである。【選択図】    図１
0003204614.tif 000002
【実用新案登録請求の範囲】
【請求項１】
表表紙、裏表紙、及び背表紙と、この背表紙の内側に溶着された複数の透明ポケットからなるクリアファイルの、前記複数の透明ポケットに収納して使用するインデックスシートであって、透明ポケットに収納される長方形の着色された透明な本体と、前記透明ポケットの上端から露出すると共に、上端が前記クリアファイルの各表紙の上端から出ない突出部とを有することを特徴とするクリアファイル用インデックスシート。
【請求項２】
表表紙、裏表紙、及び背表紙と、この背表紙の内側に溶着された複数の透明ポケットからなるクリアファイルの、前記複数の透明ポケットに入れて使用する複数のインデックスシートからなるクリアファイル用インデックスシートセット製品であって、前記透明ポケットに収納される長方形の透明な本体と、前記透明ポケットの上端から露出すると共に、上端が前記クリアファイルの各表紙から出ない突出部とを有し、この突出部は、夫々重ならないように、前記突出部が設けられた複数枚のシートで構成されたクリアファイル用インデックスシートセット製品。
【請求項３】
前記突出部は、前記透明な本体の上端の４等分の１の幅であり、本体の上端を４分割した夫々の位置に、夫々重ならないように、前記突出部が設けられた４枚のシートで構成された請求項２項記載のクリアファイル用インデックスシートセット製品。
【請求項４】
表表紙、裏表紙、及び背表紙と、この背表紙の内側に溶着された複数の透明ポケットと、前記複数の透明ポケットに収納されるインデックスシートからなるクリアファイルであって、前記インデックスシートは、透明ポケットに収納される長方形の着色された透明な本体と、前記透明ポケットの上端から露出すると共に、上端が前記クリアファイルの各表紙から出ない突出部を有することを特徴とするクリアファイル。
【請求項５】
前記表表紙の表面に設けられた着色された透明シートを有し、前記インデックスシートは、この透明シートと同系の着色を施したことを特徴とする請求項４項記載のクリアファイル。
【考案の詳細な説明】
【技術分野】
【０００１】
本考案は、書類等を収納する透明ポケットを複数有するクリアファイル用のインデックスシート及び、このインデックスシートが用いられるクリアファイルに関するものである。
【背景技術】
【０００２】
従来から会社や家庭において、書類を整理するためにクリアファイが用いられている。
このクリアファイルは、整理する書類などに綴じ孔を設けることなく、透明なポケットに、書類をそのまま入れて整理するものである。
【０００３】
従来、このクリアファイルは、ファイルの背表紙の内面に、複数の透明ポケットが溶着されている。
【０００４】
また、書類の分類分け用の製品として、ファイル用のインデックスシートが知られている。
これは、一方の側端部に突出したタグが設けられ、他方の側端部に綴じ孔が設けられたシートであり、タグの位置が異なる複数の紙シートで構成されている。
【０００５】
【特許文献１】実用新案登録第３０９５１０７号
【考案の開示】
【考案が解決しようとする課題】
【０００６】
上述のように、従来のインデックスシートは、一方の側端部に突出したタグ、他方の側端部に綴じ孔を有するものであり、クリアファイルのポケットに収納することができない。
このため、上記の特許文献１では、透明ポケットの側端部に、インデックスシートのタグが露出するための開口（スリット）を設けている。
【０００７】
本考案は、クリアファイルの複数の透明ポケットに何ら加工を加えることなく、各透明ポケットに収納して用いるインデックスシート及びこれを用いるクリアファイルを提供するものである。
また、クリアファイルの利便性、デザイン性を高めることを目的としている。
【課題を解決するための手段】
【０００８】
上記課題を解決するため、本考案は、請求項１に記載するように、表表紙、裏表紙、及び背表紙と、この背表紙の内側に溶着された複数の透明ポケットからなるクリアファイルの、前記複数の透明ポケットに入れて使用するインデックスシートであって、透明ポケットに収納される長方形の着色された透明な本体と、前記透明ポケットの上端から露出すると共に、上端が前記クリアファイルの各表紙の上端から出ない突出部とを有することを特徴とするものである。
【０００９】
また、請求項２に示すように、インデックスシートセット製品であって、前記透明ポケットに収納される長方形の透明な本体と、前記透明ポケットの上端から露出すると共に、上端が前記クリアファイルの各表紙から出ない突出部とを有し、この突出部は、夫々重ならないように、前記突出部が設けられた複数枚のシートで構成されたことを特徴とするものである。
また、請求項３に示すように異なる色で着色され、また異なる位置に突出部を配置した透明なインデックスシートを複数セットにした製品を特徴とするものである。
また、請求項４項に示すように、複数の透明ポケットに収納されるインデックスシートからなるクリアファイルであって、前記インデックスシートは、透明ポケットに収納される長方形の着色された透明な本体と、前記透明ポケットの上端から露出すると共に、上端が前記クリアファイルの各表紙から出ない突出部を有することを特徴とするものである。
更に、請求項５に示すように、ファイルの表紙に着色した透明シートを有し、この着色した透明シートと同系色のインデックスシートを有することを特徴とするものである。
【００１０】
このように、クリアファイルの透明ポケットに収納可能で、透明かつ着色されたインデックスシートを用いることにより、ポケットに入れた書類の内容を、書類をポケットから取り出すことなく確認できる。
また、色や、突出部の位置によって、書類の整理が容易にできる。
更に、ファイルの表紙に、このインデックスシートと同系色の着色シートを配置することによって、クリアファイルとインデックスシートに統一感を持たせることができる。
【考案の効果】
【００１１】
本考案によれば、新規なインデックスシート製品を提供することができる。
また、クリアファイルの利便性、デザイン性を向上させることが可能となる。
【考案を実施するための最良の形態】
【００１２】
以下、本考案を実施するための最良の形態について、図面を参照して詳細に説明する。
【実施例】
【００１３】
以下、図に沿って本考案の一実施例を説明する。
図１は本考案の一実施例を示す構成図である。
１はクリアファイルの表表紙であり、２はクリアファイルの裏表紙、３は、この表表紙１と裏表紙２とを連結する背表紙である。
これらの表紙１，２及び３は、透明な樹脂で形成されている。
４は背表紙３の内側に溶着された複数の透明ポケットである。
この透明ポケット４は、夫々上端が開放された袋体を構成している。
５は表表紙の表側に設けられた透明な着色シートである。
６は透明ポケット４に収納されるインデックスシートであり、透明ポケットに収納される長方形状の本体７と、透明ポケットの解放端から突出する突出部８で構成されている。
このインデックスシート６は、着色された透明な樹脂材で形成されている。
【００１４】
着色シート５は、左右の側端部と下端部が、表表紙１に溶着され上端が開放されたポケットを構成している。
また、インデックスシート６は、この着色シート５と同系色の着色がなされている。これは、デザイン性を考慮したものである。
尚、同系色の着色とは、色の明度、色相、或は彩度が近い色による着色をいい、本実施例では、パステルのような色合いに着色されている。
【００１５】
図２に、クリアファイルを中央で開き、左右の各透明ポケット４にインデックスシート６を収納した状態を示す。
インデックスシート６の突出部８の横幅は、本体７の横幅の略４分の１の寸法で、本体７の上端を４等分した各位置に構成されている。
また、クリアファイルの表表紙１側、及び裏表紙２側の夫々４つの透明ポケットに、インデックスシート６が収納されている。
尚、インデックスシート６は、突出部８の位置に応じて、同系色の異なる着色がされている。
【００１６】
本実施例のクリアファイルは、表表紙１、及び裏表紙２の横幅は２３ｃｍ、背表紙３の横幅は１ｃｍであり、縦幅は夫々３０．７ｃｍである。
また、透明ポケット４は、横幅４５ｃｍ、縦幅３０ｃｍの袋体の中央部が背表紙に熱融着されている。
尚、透明ポケット４の下端は、表紙１，２，３の下端より１ｍｍ上方、
上端は、表紙１，２，３の上端より６ｍｍ下方に位置している。
また、インデックスシート６の本体７の横幅は２１ｃｍ、縦幅は３０ｃｍ、突出部の横幅は５ｃｍ、縦幅は０．５ｃｍである。
【００１７】
上述の本実施例のクリアファイルは、Ａ４サイズの紙等の収容物を効率的に、かつデザイン性を損なうことなく収納するように寸法が設定されている。
デザイン的にも、棚等への収納の利便性の上でも、クリアファイルの各表紙の外形寸法はなるべく小さい方が好ましい。
また、インデックスシート６の突出部８の縦寸法は、タグとして良好に認識できる大きさが好ましい。
よって、本実施例では、透明ポケット４は、背表紙のなるべく下側に位置させて、かつ背表紙３の縦寸法は、インデックスシート６の上端が出ない範囲で、なるべく小さくしている。
しかしながら、本発明は、これに限定されるものではなく、上述の各寸法は、目的の収容物が収納できる範囲で、種々変更可能である。
また、例えばＢ５サイズの収容物を収納するクリアファイルの場合は、収容物に合わせて寸法は変更される。
【００１８】
図３に、インデックスシート６を４枚セットにした図を示す。
このインデックスシートセット製品は、例えば、インデックスシート４枚を１セットとして、１セット、１０セット、或は１００セットで１つの商品となる。
これらの４枚のインデックスシート６は、突出部の位置が夫々異なるものであり、かつ位置の違いに対応して、同系色の異なる色の着色がなされている。
このインデックスシートセット製品は、上述のクリアファイル用のオプション製品として提供される。
尚、４枚のインデックスシート６の着色は、同じ色であってもよい。
【００１９】
上述のように、インデックスシート６を、クリアファイル用のオプション製品とすることで、クリアファイルを安価に提供することができる。
また、利用者が、必要に応じて、インデックスシート６を選択し使用することが可能となる。
【００２０】
本考案は、上述の実施例に限定されるものではなく、例えば、クリアファイル、インデックスシート６、或は着色シート５の寸法、形状等は種々変更可能である。
また、着色シート５によるポケットは形成しなくてもよい。
更に、インデックスシート６の突出部８の大きさや、インデックスシート製品のセット数も、上記実施例に限定されるものではない。
【産業上の利用可能性】
【００２１】
本考案は、クリアファイル用のインデックスシート、及びこれを用いたクリアファイルの利便性、デザイン性を向上されるものであり、また、新規なクリアファイル用セット製品を提供するものである。
更に、クリアファイルの用途を広げることを可能にするものである。
【図面の簡単な説明】
【００２２】
【図１】図１は、本考案の実施例の形態に係るクリアファイル及びインデックスシートの構成を示す正面図である。
【図２】図２は、本考案の実施例の形態に係るインデックスシートを、クリアファイルの透明ポケットに収納した状態を示す正面図である。
【図３】図３は、本考案の実施例の形態に係るインデックスシートを４枚セットにした製品を示す正面図である。
【符号の説明】
【００２３】
１：表表紙
２：裏表紙
３：背表紙
４：透明ポケット
５：着色シート
６：インデックスシート
７：インデックスシート本体
８：突出部
【図１】
0003204614.tif 000003
【図２】
0003204614.tif 000004
【図３】
0003204614.tif 000005